(57)【要約】      （修正有）【課題】天然繊維の利点を損なうことなく、水やりの頻度を少なくできるとともに、根腐れも防止できる吊り鉢のインナー、このインナーを用いた吊り鉢およびインナーの底部材を提供する。【解決手段】インナーＣが、天然繊維の不織布からなるインナー本体１ａと、このインナー本体１ａ内に装着される合成樹脂製の底部材２ａを備え、インナー本体１ａより高さが低く、上部開口の椀あるいは皿状をした底部材本体と、底部材本体の上部開口を閉じるように装着され、インナー本体１ａ内に充填される用土を受けるスノコ部材を有し、スノコ部材が、多数の通水孔が穿設された平板状のスノコ本体部と、スノコ本体部から下方に延出し、スノコ本体部側で開口するとともに、壁面に通水孔を有する筒状をした底部材本体の底面で支持される脚部を備えるインナー底部材。【選択図】図１
2018082626.tif 000002
【特許請求の範囲】
【請求項１】
吊り篭に内装される吊り鉢のインナーであって、
天然繊維の不織布からなり、鉢形状に成形されたインナー本体と、
このインナー本体内に装着される合成樹脂製の底部材とを備え、
前記底部材が、前記インナー本体より高さが低く、インナー本体の底部内壁面に沿うように配置され、上部開口の椀あるいは皿状をした底部材本体と、この底部材本体の上部開口を閉じるように装着され、インナー本体内に充填される用土を受けるスノコ部材とを有し、
このスノコ部材が、多数の通水孔が穿設された平板状のスノコ本体部と、
このスノコ本体部から下方に延出し、スノコ本体部側で開口する筒状をしているとともに、筒壁面に通水孔を有し、底部材本体の底面で支持される脚部とを備えていることを特徴とする吊り鉢のインナー。
【請求項２】
上記脚部が、筒壁面の上下方向に長いスリット状の通水孔を備えている請求項１に記載の吊り鉢のインナー。
【請求項３】
上記底部材本体の底面にスノコ部材の位置ずれ防止突起が設けられていて、
上記脚部に前記位置ずれ防止突起が嵌まり込む通水孔が穿設されている請求項１または請求項２に記載の吊り鉢のインナー。
【請求項４】
上記位置ずれ防止突起が平面視十字形状をしている請求項３に記載の吊り鉢のインナー。
【請求項５】
請求項１〜請求項４のいずれかに記載の底部材。
【請求項６】
請求項１〜請求項４のいずれかに記載のインナーと、このインナーのインナー本体の外壁面に沿う篭本体部を備えた吊り篭からなることを特徴とする吊り鉢。
【発明の詳細な説明】
【技術分野】
【０００１】
本発明は、インナー、このインナーを用いた吊り鉢およびインナーの底部材に関する。
【背景技術】
【０００２】
図２０に示すように、籠部１１０と、吊り下げ部１２０を備えた吊り籠１００と、籠部１１０の内側に内層されるココヤシ繊維の不織布マットで形成されたインナー２００を備えた吊り鉢（ハンギングバスケット）３００が上市されている（非特許文献１）。
すなわち、この吊り鉢３００は、インナー２００がココヤシ繊維の不織布マットを器形状に形成しただけであるので、通気性に優れるとともに、インナー２００内の用土に給水された余剰水がインナー２００の壁面を通り容易に抜け出るため、インナー２００内に植栽された植物が、根腐れを起こしにくいという利点がある。
また、インナー２００は、天然繊維であるココヤシ繊維で形成されているので、植栽された植物とのマッチングがよく、庭や室内の装飾性にも優れたものとすることができるとともに、環境にやさしい。
【先行技術文献】
【非特許文献】
【０００３】
【非特許文献１】インターネット  アイリスオーヤマ通販サイトアイリスプラザ  商品名パームハンギングバスケット  平成２７年１１月２６日検索（URL http://www.irisplaza.co.jp/Index.asp?KB=SHOSAI&SID=G516926F&SHOP=2）
【発明の概要】
【発明が解決しようとする課題】
【０００４】
しかし、上記インナーは、透水性だけでなく、通気性にも優れているため、天候や吊り鉢の設置場所によっては、用土がすぐに乾いてしまい、頻繁に水やりしなければならないという問題がある。
【０００５】
本発明は、上記事情に鑑みて、天然繊維の上記利点を損なうことなく、水やりの頻度を少なくできるとともに、根腐れも防止できる吊り鉢のインナー、このインナーを用いた吊り鉢およびインナーの底部材を提供することを目的としている。
【課題を解決するための手段】
【０００６】
上記目的を達成するために、本発明にかかる吊り鉢のインナー（以下、「本発明のインナー」と記す）は、吊り篭に内装される吊り鉢のインナーであって、天然繊維の不織布からなり、鉢形状に成形されたインナー本体と、このインナー本体内に装着される合成樹脂製の底部材とを備え、前記底部材が、前記インナー本体より高さが低く、インナー本体の底部内壁面に沿うように配置され、上部開口の椀あるいは皿状をした底部材本体と、この底部材本体の上部開口を閉じるように装着され、インナー本体内に充填される用土を受けるスノコ部材とを有し、このスノコ部材が、多数の通水孔が穿設された平板状のスノコ本体部と、このスノコ本体部から下方に延出し、スノコ本体部側で開口する筒状をしているとともに、筒壁面に通水孔を有し、底部材本体の底面で支持される脚部とを備えていることを特徴としている。
【０００７】
また、上記脚部は、壁面に上下方向に長いスリット状の通水孔を備えていてもよい。
すなわち、底部材本体に溜まった水の水位が低くても、脚部内に充填された用土部分を介して上部の用土に潅水することができる。
【０００８】
本発明のインナーは、上記底部材本体の底面にスノコ部材の位置ずれ防止突起が設けられていて、上記脚部に前記位置ずれ防止突起が嵌まり込む通水孔が穿設されていることが好ましい。
すなわち、用土を充填する際等に、スノコ部材がずれ動きにくく、作業性がよい。
【０００９】
また、上記位置ずれ防止突起は、平面視十字形状をしていることが好ましい。
すなわち、
【００１０】
本発明において、インナー本体に用いられる天然繊維の材料としては、例えば、ココヤシ、シュロ、ジュート、竹、ケナフなどが挙げられ、中でもココナッツミルクの製造時等に発生する廃材を使用できるココヤシ繊維が安価で自然にやさしい。
不織布としては、ニードルパンチのみで繊維同士を交絡させたものでも構わないし、透水性を損なわない程度でバインダーを介して交絡部を接着しても構わない。
【００１１】
本発明において、インナー本体の形状としては、特に限定されないが、略ボウル、略円錐形状、略角錐形状、半円筒形状等が挙げられ、底が扁平になっている箱状をしていても構わない。
【００１２】
本発明において、底部材を構成する合成樹脂としては、特に限定されないが、例えば、ポリエチレン、ポリプロピレン、ポリ乳酸、ポリエチレンテレフタレート等の熱可塑性樹脂が挙げられる。
底部材本体の形状は、インナー本体の底部内壁面に沿う形状が好ましい。
【００１３】
底部材本体の高さは、インナー本体の高さより低く、植栽される草花の根が十分に生育可能な用土の深さを確保できれば、特に限定されないが、インナー本体の上端から底部材本体の上端までの深さを１００ｍｍ以上とすることが好ましく、用土のスノコ部材までの深さを１１０〜１２０ｍｍ程度の深さにできることが好ましい。
【００１４】
本発明にかかる吊り鉢は、上記本発明のインナーと、インナーのインナー本体の外壁面に沿う篭本体部を備えた吊り篭からなることを特徴としている。
【発明の効果】
【００１５】
本発明のインナーは、上記のように、吊り篭に内装される吊り鉢のインナーであって、天然繊維の不織布からなり、鉢形状に成形されたインナー本体と、このインナー本体内に装着される合成樹脂製の底部材とを備え、前記底部材が、前記インナー本体より高さが低く、インナー本体の底部内壁面に沿うように配置され、上部開口の椀あるいは皿状をした底部材本体と、この底部材本体の上部開口を閉じるように装着され、インナー本体内に充填される用土を受けるスノコ部材とを有し、このスノコ部材が、多数の通水孔が穿設された平板状のスノコ本体部と、このスノコ本体部から下方に延出し、スノコ本体部側で開口する筒状をしているとともに、筒壁面に通水孔を有し、底部材本体の底面で支持される脚部とを備えている、また、本発明の吊り鉢は、上記本発明のインナーと、インナーのインナー本体の外壁面に沿う篭本体部を備えた吊り篭からなるので、以下のような優れた性能を備えている。
【００１６】
すなわち、通水孔を有するスノコ部材と、底部材本体の間に空間が形成されているため、用土に吸収されない水は、通水孔を介して底部材本体内に溜まる。
そして、底部材本体内に溜まった水は、脚部の壁面に設けられた通水孔を介して脚部内に入り込んだ用土部分を介して上部の用土に供給される。
したがって、水やり頻度を少なくすることができる。
【００１７】
また、底部材本体の高さがインナー本体の高さより低いため、過剰の水やりをした場合、底部材本体をオーバーフローした水は、インナー本体を形成する不織布の隙間からインナー外に排水される。
さらに、底部材本体より上の部分の用土は、インナー本体の壁面を介して外気と接触する。すなわち、通気性が確保される。
したがって、植栽された草花が根腐れを起こすことが少なくなる。
【図面の簡単な説明】
【００１８】
【図１】本発明の吊り鉢の第１の実施の形態をあらわす斜視図である。
【図２】図１の吊り鉢のインナー本体の斜視図である。
【図３】図１の吊り鉢の底部材の平面図である。
【図４】図３の底部材の側面図である。
【図５】図３のＸ−Ｘ断面図である。
【図６】図３の底部材の底部材本体の斜視図である。
【図７】図３の底部材のスノコ部材を上方からみた斜視図である。
【図８】図３の底部材のスノコ部材を下方からみた斜視図である。
【図９】図１の吊り鉢の吊り篭の篭本体をあらわす斜視図である。
【図１０】図１の吊り鉢に用土を充填した状態を説明する断面図である。
【図１１】本発明の吊り鉢の第１の実施の形態をあらわす斜視図である。
【図１２】図１１の吊り鉢のインナー本体の斜視図である。
【図１３】図１１の吊り鉢の底部材の平面図である。
【図１４】図１３の底部材の側面図である。
【図１５】図１３のＹ−Ｙ断面図である。
【図１６】図１３の底部材の底部材本体の平面図である。
【図１７】図１３の底部材のスノコ部材を上方からみた斜視図である。
【図１８】図１３の底部材のスノコ部材を下方からみた斜視図である。
【図１９】図１１の吊り鉢の篭本体の斜視図である。
【図２０】従来の吊り鉢の１例をあらわす斜視図である。
【発明を実施するための形態】
【００１９】
以下に、本発明を、その実施の形態を参照して詳しく説明する。
図１は、本発明の吊り鉢の第１の実施の形態をあらわしている。
【００２０】
図１に示すように、この吊り鉢Ａは、インナーＣと、吊り篭３ａを備えている。
すなわち、インナーＣは、図２に示すインナー本体１ａと、図３〜図５に示す底部材２ａを備え、図１に示すように、吊り籠３ａに内装されるようになっている。
インナー本体１ａは、ココヤシ繊維をニードルパンチして得られた厚さが４〜６ｍｍの不織布で底部が、後で詳述する底部材２ａの底部材本体４ａの外壁面に沿う形状になった鉢状に成形されている。
【００２１】
底部材２ａは、ポリプロピレンで形成された底部材本体４ａとスノコ部材５ａを備えている。
底部材本体４ａは、図６に示すように、円形板状をした底４１と、この底４１の断面略円弧状に立ち上がる側壁４３を有する略椀状あるいは皿状をしていて、この実施の形態では、底部材本体４ａの底４１から上端までの高さ４５ｍｍで、インナー本体１ａの上端から底部材本体４ａの上端までの深さが１４０ｍｍ以上となる高さになっている。
【００２２】
また、底４１には、図３および図６に示すように、平面視十字状をした４つの位置ずれ防止突起４２が、後述するスノコ部材５ａの４つの脚部５２の底５２ａに穿設された第２通水孔５２ｂに対応する位置に突設されている。
側壁４３は、上端部の全周に渡って、側壁４３の内側に壁面を凹ませて形成した段状のスノコ受部４３ａを備えている。
【００２３】
スノコ部材５ａは、図７および図８に示すように、スノコ本体部５１と、４つの脚部５２を備えている。
スノコ本体部５１は、図５に示すように、底部材本体４ａの上端部に嵌まり込んで、その周縁部がスノコ受部４３ａに受けられて、その上端面と底部材本体４ａの上端とがほぼ面一になる外径および厚みの略円盤状をしているとともに、上下に貫通する多数の第１通水孔５１ａが穿設されている。
第１通水孔５１ａは、その直径が３〜５ｍｍの大きな丸孔になっている。
【００２４】
脚部５２は、スノコ本体部５１の円盤の中心を中心にして放射状に等間隔で設けられていて、スノコ本体部５１から徐々に下方（底部材本体４ａの底４１）に向かって小径化する下方に円錐台状をしていて、その底５２ａに位置ずれ防止突起４２が嵌まり込む大きさの第２通水孔５２ｂが穿設されている。
また、脚部５２の周壁には、上下方向に連続する５つの第３通水孔５２ｃが穿設されている。
第３通水孔５２ｃは、そのスリット幅が、最大で２ｍｍとなるように、脚部５２の上端側から下方に向かってその幅が徐々にその幅が広くなっている。
【００２５】
吊り籠３ａは、篭本体３１と、３本のチェーン状をした吊り金具３２を備えている。
篭本体３１は、図９に示すように、ワイヤーを折り曲げるとともに、ワイヤーの交点部分を溶接等によって固定することによって、インナー本体１ａ外壁面に沿う形状に形成されている。
３本の吊り金具３２は、それぞれ端部に設けた板ナスカン等によって一端が篭本体３１の上端のリング部３１ａに係止され、他端が１つのＳ型フック３３に係止される。
【００２６】
この吊り鉢Ａは、上記のようになっており、図１０に示すように、インナーＣが、インナー本体１ａ内に底部材２ｂが内装された状態で吊り籠３ａに支持されるとともに、インナー本体１ａ内に用土６が充填され、用土６に草花（図示せず）が植栽されて、Ｓ型フック３３を介して、たとえば、軒などに吊り下げられるようになっている。
【００２７】
そして、吊り鉢Ａは、上記のような構成になっているので、以下のような優れた効果を備えている。
【００２８】
（１）底部材２ａのスノコ部材５ａに第１〜第３通水孔５１ａ（５２ｂ，５２ｃ）が設けられているので、用土６に吸水されない余剰の水は、上記１〜第３通水孔５１ａ（５２ｂ，５２ｃ）を介して底部材本体４ａ内に溜まる。
また、底部材本体４ａの上端の高さがインナー本体１ａの高さより低いため、底部材本体４ａをオーバーフローした水は、インナー本体１ａの壁面の繊維と繊維の隙間を通り、インナー外に排水される。
すなわち、過剰の給水を防止することができる。
しかも、底部材２ａのスノコ本体部５１より上の用土６は、インナー本体１ａの繊維と繊維の隙間を介して外気と通気状態に保たれる上、草花の生育に十分な深さ（たとえば、１１０〜１２０ｍｍ（用土６をインナー本体１ａの上端まで入れる必要がない））を確保できる。
したがって、用土６に植栽された草花の根のスノコ本体部５１より上方にある部分は、水に浸かった状態になることがないため、根腐れを起こすようなことがないとともに、十分な根の生育を確保できる。
【００２９】
（２）スノコ部材５ａは、脚部５２を備え、この脚部５２が底部材本体４ａの底４１に受けられるので、スノコ本体部５１に用土６の荷重が加わっても、スノコ本体部５１が下方に撓むことを防止できる。
【００３０】
（３）脚部５２の底５２ａに第２通水孔５２ｂを有し、脚部５２の周面に上下方向に長いスリット状の第３通水孔５２ｃを備えていて、脚部５２内に用土６の一部が充填されるので、底部材本体４ａ内に水が溜まった状態では、脚部５２内の用土６が底部材本体４ａ内の水に常に接触した状態に保持される。
したがって、スノコ本体部５１上の用土６が乾いてくると、毛細管現象によって、底部材本体４ａに溜まった水が、脚部５２内の用土６を介して上方の用土６に吸い上げられる。
すなわち、不織布のみのインナーを用いた場合に比べ、水やり頻度を少なくすることができる。
【００３１】
（４）底部材本体４ａの底４１に位置ずれ防止突起４２が設けられ、第２通水孔５２ｂにこの位置ずれ防止突起４２が嵌まり込むので、スノコ部材５ａが底部材本体４ａの開口を閉じた状態にしっかりと位置決めされる。
【００３２】
（５）位置ずれ防止突起４２が、平面視十字形になっているので、第２通水孔５２ｂと、位置ずれ防止突起４２とによって、小さな通水路が均等に形成され、スムーズに通水できるとともに、用土６が底部材本体４ａに入り込むことを防止することができる。
【００３３】
図１１は、本発明にかかる吊り鉢の第２の実施の形態をあらわしている。
図１１に示すように、この吊り鉢Ｂは、インナーＤと、吊り篭３ｂを備えている。
【００３４】
インナーＤは、インナー本体１ｂと、底部材２ｂを備えている。
インナー本体１ｂは、図１２に示すように、平面視で上記インナー本体１ａを半分にした形状をしている以外は、上記インナー本体１ａと同様になっている。
【００３５】
底部材２ｂは、図１３〜図１５に示すように、底部材本体４ｂと、スノコ部材５ｂを備えている。
底部材本体４ｂは、半円形の平坦な底４４と、この底４４の周縁から立ち上がるように設けられた側壁４６を備えている。
【００３６】
上記側壁４６は、底４４の円弧部分から立ち上がる断面円弧状をした湾曲壁部４６ａと、底４４の弦部分から立ち上がる垂直壁部４６ｂを備えている。
湾曲壁部４６ａは、その上端部の周方向全幅に渡って、湾曲壁部４６ａの内側に壁面を凹ませて形成した段状のスノコ受部４６ｃを備えている。
【００３７】
また、底部材本体４ｂは、図１５および図１６に示すように、垂直壁部４６ｂの内壁面に沿って、３つのリブ４７が設けられているとともに、底４４に２つの位置ずれ防止突起４５が設けられている。
３つのリブ４７は、垂直壁部４６ｂを補強するとともに、その上端で、スノコ本体５３の垂直壁部４６ｂ側の端縁部を間欠的に支持するようになっている。
【００３８】
スノコ部材５ｂは、図１５、図１７および図１８に示すように、スノコ本体５３と、２つの脚部５４を備えている。
スノコ本体５３は、上記スノコ受部４６ｃおよび３つのリブ４７にその周縁部が支持される略半円形をしていて、多数の第１通水孔５３ａが上下方向に貫通するように穿設されている。
２つの脚部５４は、上記２つの位置ずれ防止突起４５と同じピッチで設けられていて、上記スノコ部材５ａの脚部５２と同様に底５４ａに第２通水孔５４ｂが穿設され、周壁に第３通水孔５４ｃが穿設されている。
【００３９】
吊り篭３ｂは、図１１および図１９に示すように、篭本体３４と、２つのＳ型フック（図示していない）を備えている。
篭本体３４は、ワイヤーを折り曲げるとともに、ワイヤーの交点部分を溶接等によって固定することによって形成されていて、背面側の上端に２つのフック係止部３４ａが設けられている。
【００４０】
そして、上記吊り鉢Ｂは、上記篭本体３４のフック係止部３４ａに上記Ｓ型フックの下端を係止させるとともに、Ｓ型フックの上端をフェンスや壁等の係止部に係止させることによってフェンスや壁等に沿って吊り下げることができる。
また、上記吊り鉢Ｂは、上記構成を備えているので、上記吊り鉢Ａと同様に、水やり頻度を少なくすることができるとともに、根腐れを起こしにくい。
【００４１】
本発明は、上記の実施の形態に限定されない。例えば、上記の実施の形態では、底部材本体の底に位置ずれ防止突起を設け、脚部の底に設けた通水孔に位置ずれ防止突起をはめ込むことによってスノコ部材の位置ずれを防止していたが、スノコ本体に切欠を設け、底部材本体に切欠に嵌まり込む突起を設けるようにしても構わない。
【００４２】
上記第２の実施の形態では、吊り篭の篭本体にフック掛け部を設けていたが、篭本体を形成するワイヤーの一部を篭本体の上端から延出させた後、篭本体の背面側にＵ字形に折り曲げて、フックを一体に設けるようにしても構わない。
また、上記の第２の実施の形態では、吊り篭がＳ型フックを備えていたが、壁やフェンス等にフックを設けるようにすれば、Ｓ型フックは無くても構わない。
【００４３】
上記の実施の形態では、底部材本体が、平板状の底を備えていたが、湾曲形状をしていても構わない。
上記の実施の形態では、脚部の周壁にスリット状の通水孔が穿設されていたが、スノコ本体と同様に小孔を多数設けるようにしても構わない。
【００４４】
上記インナーは、形状が似ている既存の吊り篭に内装して用いることができる。
また、上記底部材は、形状が似ている既存の天然繊維不織布からなるインナーに内装させて用いることもできる。
【符号の説明】
【００４５】
Ａ、Ｂ  吊り鉢
Ｃ、Ｄ  インナー
１ａ、１ｂ  インナー本体
２ａ、２ｂ  底部材
３ａ、３ｂ  吊り篭
３１，３４  篭本体
３１ａ  リング部
３２  吊り金具
３３  Ｓ型フック
３４ａ  フック係止部
４ａ、４ｂ  底部材本体
４１、４４  底
４２、４５  位置ずれ防止突起
４３、４６  側壁
４３ａ、４６ｃ  スノコ受部
４６ａ  湾曲壁部
４６ｂ  垂直壁部
４７  リブ
５ａ、５ｂ  スノコ部材
５１、５３  スノコ本体部
５１ａ、５３ａ  第１通水孔
５２、５４  脚部
５２ａ、５４ａ  底
５２ｂ、５４ｂ  第２通水孔
５２ｃ、５４ｃ  第３通水孔
６  用土
【図１】
2018082626.tif 000003
【図２】
2018082626.tif 000004
【図３】
2018082626.tif 000005
【図４】
2018082626.tif 000006
【図５】
2018082626.tif 000007
【図６】
2018082626.tif 000008
【図７】
2018082626.tif 000009
【図８】
2018082626.tif 000010
【図９】
2018082626.tif 000011
【図１０】
2018082626.tif 000012
【図１１】
2018082626.tif 000013
【図１２】
2018082626.tif 000014
【図１３】
2018082626.tif 000015
【図１４】
2018082626.tif 000016
【図１５】
2018082626.tif 000017
【図１６】
2018082626.tif 000018
【図１７】
2018082626.tif 000019
【図１８】
2018082626.tif 000020
【図１９】
2018082626.tif 000021
【図２０】
2018082626.tif 000022